(57)【特許請求の範囲】
【請求項１】
チャンネル形状の帯状金具を用いて、研磨砥粒を含有した複数の毛材をその長手方向の中間部で芯線に交差させて折り返した根本部分を挟み付けてチャンネル方式で植毛したブラシ部と、
前記ブラシ部の前記芯線に交差させて折り返した毛材の根本部分及び該根本部分から毛先側に予め定められた部位まで寄った所定領域をその両側面から挟み込む一対のブラシ押さえ部材を有し、前記一対のブラシ押さえ部材の内側面に形成された掛止段部を前記帯状金具に掛止させ、各ブラシ押さえ部材の対向面に形成された突起部と穴部とを嵌め合わせて前記一対のブラシ押さえ部材を結合させる保持部と、を備え、
前記保持部により、前記ブラシ部の横幅方向にて、前記毛材の根本部分及び前記所定領域をその両側面から挟み込んで該ブラシ部の根本部分及び前記所定領域を保持したことを特徴とするワックスはく離ブラシ。
【請求項２】
前記研磨砥粒は、予め定められた硬度を有する酸化アルミ又はシリコンカーバイトで形成されることを特徴とする請求項１に記載のワックスはく離ブラシ。
【請求項３】
前記ブラシ部の毛材の長さを、該ブラシ部の横幅方向にて一端側に比して他端側が順次短くなるように斜めに切断したことを特徴とする請求項１又は２に記載のワックスはく離ブラシ。
【発明の詳細な説明】
【技術分野】
【０００１】
本発明は、ワックスが塗布された化学系床材等の床面でフロアーポリッシャが届きにくい部分に堆積している古いワックス等の汚れのはく離・洗浄作業に使用するワックスはく離ブラシに関し、詳しくは、研磨砥粒を含有した複数の毛材を密集して植毛したブラシ部で古いワックス等を効率よくはく離可能とするワックスはく離ブラシに係るものである。
【背景技術】
【０００２】
従来のこの種のワックスはく離ブラシとしては、柄の下端に少なくとも左右に伸びる台座部を取り付け、該台座部下面において少なくとも前記左右方向に沿って毛材を植毛してブラシ部を形成し、前記ブラシ部の毛材を研磨砥材粒子が含有するモノフィラメントで形成し、前記ブラシ部で床面等を擦ることにより、前記毛材の先端が床面等に付着するワックスに突き刺さることで前記ワックスに微細な傷が付けられるように構成されたワックス剥離用箒が提案されている（例えば、特許文献１参照）。
【先行技術文献】
【特許文献】
【０００３】
【特許文献１】実用新案登録第３１４０８６９号公報
【発明の概要】
【発明が解決しようとする課題】
【０００４】
しかし、前記特許文献１に記載のワックス剥離用箒においては、台座部の下面には毛材を植毛するための複数の小孔が、該台座部の長手方向に沿って前後二列に等間隔で、かつ、前後の位置が互いにオフセット配置されるように穿たれており、所定本数の毛材を柱状に引き揃えて束ねて繊維束ユニットを形成し、この繊維束ユニットを前記各小孔へ植毛することによりブラシ部を形成していた。この場合、台座部の下面に穿たれる複数の小孔の間隔は一定限度より狭くできないことと、各小孔へ植毛する毛材の本数は所定本数よりも多くはできないことから、台座部へ植毛する毛材の密度を一定限度より高くすることはできないものであった。
【０００５】
そこで、このような問題点に対処し、本発明が解決しようとする課題は、研磨砥粒を含有した複数の毛材を密集して植毛したブラシ部で古いワックス等を効率よくはく離可能とするワックスはく離ブラシを提供することにある。
【課題を解決するための手段】
【０００６】
前記課題を解決するために、本発明によるワックスはく離ブラシは、チャンネル形状の帯状金具を用いて、研磨砥粒を含有した複数の毛材をその長手方向の中間部で芯線に交差させて折り返した根本部分を挟み付けてチャンネル方式で植毛したブラシ部と、前記ブラシ部の前記芯線に交差させて折り返した毛材の根本部分及び該根本部分から毛先側に予め定められた部位まで寄った所定領域をその両側面から挟み込む一対のブラシ押さえ部材を有し、前記一対のブラシ押さえ部材の内側面に形成された掛止段部を前記帯状金具に掛止させ、各ブラシ押さえ部材の対向面に形成された突起部と穴部とを嵌め合わせて前記一対のブラシ押さえ部材を結合させる保持部と、を備え、前記保持部により、前記ブラシ部の横幅方向にて、前記毛材の根本部分及び前記所定領域をその両側面から挟み込んで該ブラシ部の根本部分及び前記所定領域を保持したものである。
【０００７】
このような構成により、チャンネル形状の帯状金具を用いて、研磨砥粒を含有した複数の毛材をその長手方向の中間部で芯線に交差させて折り返した根本部分を挟み付けてチャンネル方式で植毛したブラシ部の前記芯線に交差させて折り返した毛材の根本部分及び該根本部分から毛先側に予め定められた部位まで寄った所定領域を、その両側面から挟み込む一対のブラシ押さえ部材を有し、前記一対のブラシ押さえ部材の内側面に形成された掛止段部を前記帯状金具に掛止させ、各ブラシ押さえ部材の対向面に形成された突起部と穴部とを嵌め合わせて前記一対のブラシ押さえ部材を結合させる保持部により、前記ブラシ部の横幅方向にて、前記毛材の根本部分及び前記所定領域をその両側面から挟み込んで保持したことにより、操作者が前記保持部を把持して操作することで、研磨砥粒を含有した複数の毛材を密集して植毛したブラシ部で古いワックス等を効率よくはく離可能とする。
【０００９】
さらに、前記研磨砥粒は、予め定められた硬度を有する酸化アルミ又はシリコンカーバイトで形成されるものである。
これにより、予め定められた硬度を有する酸化アルミ又はシリコンカーバイトで形成される研磨砥粒を含有した複数の毛材を用いて、曲げに対して腰の強い毛材を密集して植毛したブラシ部を形成する。
【００１０】
さらにまた、前記ブラシ部の毛材の長さを、該ブラシ部の横幅方向にて一端側に比して他端側が順次短くなるように斜めに切断してもよい。
これにより、ブラシ部の横幅方向にて一端側に比して他端側が順次短くなるように斜めに切断した長さの毛材を密集して植毛したブラシ部で、コーナーや隅部に堆積している古いワックス等を効率よくはく離可能とする。
【発明の効果】
【００１１】
請求項１に係る発明によれば、チャンネル形状の帯状金具を用いて、研磨砥粒を含有した複数の毛材をその長手方向の中間部で芯線に交差させて折り返した根本部分を挟み付けてチャンネル方式で植毛したブラシ部の前記芯線に交差させて折り返した毛材の根本部分及び該根本部分から毛先側に予め定められた部位まで寄った所定領域を、その両側面から挟み込む一対のブラシ押さえ部材を有し、前記一対のブラシ押さえ部材の内側面に形成された掛止段部を前記帯状金具に掛止させ、各ブラシ押さえ部材の対向面に形成された突起部と穴部とを嵌め合わせて前記一対のブラシ押さえ部材を結合させる保持部により、前記ブラシ部の横幅方向にて、前記毛材の根本部分及び前記所定領域をその両側面から挟み込んで保持したことにより、操作者が前記保持部を把持して操作することで、研磨砥粒を含有した複数の毛材を密集して植毛したブラシ部により古いワックス等を効率よくはく離することができる。また、帯状金具を用いてチャンネル方式で植毛したブラシ部に対して、保持部を後付けにより結合してワックスはく離ブラシを組み立てることができる。
【００１３】
また、請求項２に係る発明によれば、予め定められた硬度を有する酸化アルミ又はシリコンカーバイトで形成される研磨砥粒を含有した複数の毛材を用いて、曲げに対して腰の強い毛材を密集して植毛したブラシ部を形成することができる。したがって、このようなブラシ部により古いワックス等を効率よくはく離することができる。
【００１４】
さらに、請求項３に係る発明によれば、ブラシ部の横幅方向にて一端側に比して他端側が順次短くなるように斜めに切断した長さの毛材を密集して植毛したブラシ部で、コーナーや隅部に堆積している古いワックス等を効率よくはく離することができる。
【図面の簡単な説明】
【００１５】
【図１】本発明によるワックスはく離ブラシの実施形態を示す斜視図である。
【図２】前記ワックスはく離ブラシのブラシ部を示す図であり、（ａ）はその正面図、（ｂ）は（ａ）のＡ−Ａ線断面図、（ｃ）は（ａ）の左側面図である。
【図３】図１に示す一方のブラシ押さえ部材（６ａ）を示す図であり、（ａ）はその正面図（内面図）、（ｂ）はその背面図（裏面図）である。
【図４】図１に示す一方のブラシ押さえ部材（６ａ）を示す図であり、（ａ）はその平面図、（ｂ）はその底面図である。
【図５】図１に示す一方のブラシ押さえ部材（６ａ）を示す図であり、（ａ）は図３（ａ）の右側面図、（ｂ）は図３（ａ）のＢ−Ｂ線断面図である。
【図６】図２に示すように形成されたブラシ部と、図３〜図５に示すように形成された一対のブラシ押さえ部材を結合させた保持部とを組み合わせてワックスはく離ブラシを構成した状態を示す図であり、（ａ）はその正面図、（ｂ）は（ａ）のＣ−Ｃ線断面図、（ｃ）は（ａ）の左側面図である。
【図７】図６に示すように構成されたワックスはく離ブラシの使用状態を示す説明図であり、（ａ）はその正面図、（ｂ）は他の使用状態を示す（ａ）の左側面図である。
【図８】ブラシ部の他の実施形態を示す正面図である。
【図９】図８に示すように形成されたブラシ部に、図３〜図５に示すように形成された一対のブラシ押さえ部材を結合させた保持部を組み合わせて、他の実施形態によるワックスはく離ブラシを構成した状態を示す図である。
【図１０】図９に示す他の実施形態によるワックスはく離ブラシの使用状態を示す説明図である。
【発明を実施するための形態】
【００１６】
以下、本発明の実施の形態を添付図面に基づいて詳細に説明する。
図１は本発明によるワックスはく離ブラシの実施形態を示す斜視図である。このワックスはく離ブラシは、ワックスが塗布された化学系床材等の床面でフロアーポリッシャが届きにくい部分に堆積している古いワックス等の汚れのはく離・洗浄作業に使用するもので、ブラシ部１と、保持部２とを備えて成る。
【００１７】
前記ブラシ部１は、ワックスを塗布された化学系床材等の床面を実際に擦ってワックスをはく離させる部分となるもので、図２に示すように、複数の毛材３と、芯線４と、チャンネル形状の帯状金具５とから成る。
【００１８】
前記複数の毛材３は、いわゆるブラシ毛として植毛されるもので、予め定められた硬度を有する酸化アルミ又はシリコンカーバイトで形成される研磨砥粒（グリッド）を含有してフィラメント状に加工されている。具体的には、ナイロンに前記研磨砥粒（グリッド）を混入してブラシ用のフィラメントとして加工したデュポン社製の「タイネックス」（登録商標）と呼ばれるものである。この「タイネックス」（登録商標）は、フィラメント全体にグリッドが散在しており、研磨性、靱性、弾力性に優れている。「タイネックス」（登録商標）のフィラメントには、直径0.3mmから1.5mmの太さのものがあり、酸化アルミ・グリッドのものは軟質金属の仕上げに適した硬度を有し、シリコンカーバイト・グリッドのものは酸化アルミ・グリッドのものよりも硬く、鋭く、鉄等の硬質金属の仕上げに適した硬度を有している。なお、この毛材３は、一般名称として「研磨砥粒入りナイロン612フィラメント」と呼ばれている。
【００１９】
前記ブラシ部１は、図２（ａ）に示すように、複数の毛材３が例えば150mm程度の横幅Ｗで植毛されている。この複数の毛材３は、図２（ｂ）に示すように、図２（ａ）に示す横幅Ｗ方向に伸びる金属製の芯線４に対して、長手方向の中間部で直交状に交差させてＵ字状に折り返してチャンネル方式で植毛されている。この場合、図２（ｂ）において、毛材３が中間部で芯線４に交差させて折り返された根本部分に、チャンネル形状の帯状金具５を当て嵌め、図２（ｂ）に示す両側面及び図２（ａ）に示す両端面からかしめて、図２（ｃ）に示すように、複数の毛材３の芯線４に交差させて折り返した根本部分を帯状金具５で挟み付けたブラシ部１が形成される。このとき、複数の毛材３は、図２（ｂ）において、ブラシ部１の厚みｔ方向に複数本が重ねられてＵ字状に折り返されている。また、図２（ａ）において、ブラシ部１の横幅Ｗ方向に複数本が大きな隙間なく並べられてＵ字状に折り返されている。この結果、研磨砥粒を含有した複数の毛材３を密集して植毛したブラシ部１が形成される。
【００２０】
前記ブラシ部１の横幅Ｗ方向にて、該ブラシ部１の根本部分及び該根本部分付近の所定領域は、図１に示すように、保持部２で保持されている。この保持部２は、ブラシ部１により古いワックス等をはく離する際に操作者が把持して操作する操作部材にもなるもので、前記芯線４に交差させて折り返した毛材３の根本部分及び該根本部分から毛先側に予め定められた部位まで寄った所定領域をその両側面から挟み込んで該ブラシ部１の根本部分及び前記所定領域を保持するものである。具体的には、前記保持部２は、前記ブラシ部１の前記芯線４に交差させて折り返した毛材３の根本部分及び前記所定領域をその両側面から挟み込む一対のブラシ押さえ部材６ａ，６ｂ（図１参照）を有し、各ブラシ押さえ部材６ａ，６ｂの対向面に形成された突起部７ａ，７ｂ（図４参照）と穴部８ａ，８ｂ（図４参照）とを嵌め合わせて前記一対のブラシ押さえ部材６ａ，６ｂを結合させるようになっている。
【００２１】
図３（ａ）は図１に示す一方のブラシ押さえ部材６ａを示す正面図（内面図）であり、図３（ｂ）はそのブラシ押さえ部材６ａを示す背面図（裏面図）である。また、図４（ａ）は図１に示す一方のブラシ押さえ部材６ａを示す平面図であり、図４（ｂ）はそのブラシ押さえ部材６ａを示す底面図である。さらに、図５（ａ）は図１に示す一方のブラシ押さえ部材６ａを示す図３（ａ）の右側面図であり、図５（ｂ）はそのブラシ押さえ部材６ａを示す図３（ａ）のＢ−Ｂ線断面図である。なお、図３，図４及び図５においては、図１に示す一対のブラシ押さえ部材６ａ，６ｂのうち一方のブラシ押さえ部材６ａしか示していないが、他方のブラシ押さえ部材６ｂも図３，図４及び図５に示す形状と全く同じに形成されており、両者を対向させて結合させるようになっている。
【００２２】
図３（ａ），図４（ａ）及び図５（ａ）において、一方のブラシ押さえ部材６ａの上部内側面には、図３（ａ）に示す全幅Ｄの中心Ｏ−Ｏに対して右側に偏った位置にて予め定められた間隔で２個の突起部７ａ，７ｂが所定の長さで内向きに突出されている。これらの突起部７ａ，７ｂは、ボスと呼ばれるもので、図５（ａ）に示すように、先端部が他方のブラシ押さえ部材６ｂに形成された穴部８ａ，８ｂに入り易いように半球状に形成されており、その半球状部の根本には細径のくびれ部９が形成されている。
【００２３】
また、図３（ａ）及び図４（ａ）において、一方のブラシ押さえ部材６ａの上辺の内側面には、図３（ａ）に示す全幅Ｄの中心Ｏ−Ｏに対して左側に偏った位置にて予め定められた間隔で２個の穴部８ａ，８ｂが所定の深さで穿たれている。これらの穴部８ａ，８ｂは、図５（ｂ）に示すように、その深さの中間に細径部１０が形成されており、他方のブラシ押さえ部材６ｂに形成された突起部７ａ，７ｂが嵌め合わされた状態でその半球状部の根本が穴部８ａ，８ｂの細径部１０に係合して嵌め殺し状に結合されるようになっている。
【００２４】
なお、図３（ａ）及び図５（ｂ）において、符号１１は、対向する一対のブラシ押さえ部材６ａ，６ｂにより図２に示すブラシ部１を両側面から挟み込む際に、帯状金具５と掛止して保持する掛止段部を示している。また、図３（ａ）及び図４（ｂ）において、符号１２は、同じく対向する一対のブラシ押さえ部材６ａ，６ｂにより図２に示すブラシ部１を両側面から挟み込む際に、帯状金具５及び複数の毛材３の両端部を抱え込んで保持するために内向きに張り出した抱え込み端板を示している。さらに、図３（ｂ）において、符号１３は、対向する一対のブラシ押さえ部材６ａ，６ｂの外側面に形成され、保持部２に操作用のクリップ部材を装着する際に前記クリップ部材の爪を掛止するための溝を示している。
【００２５】
図１に示す一方のブラシ押さえ部材６ａは以上のように形成されているが、他方のブラシ押さえ部材６ｂも、図３，図４及び図５に示す一方のブラシ押さえ部材６ａと全く同じ形状に形成されている。この場合、図１に示すように、ブラシ部１を間に挟んで一方のブラシ押さえ部材６ａと他方のブラシ押さえ部材６ｂとを対向させると、左右が反転した状態で対向する各ブラシ押さえ部材６ａ，６ｂの対向面に形成された突起部７ａ，７ｂと穴部８ａ，８ｂとが嵌め合わされて前記一対のブラシ押さえ部材６ａ，６ｂが結合される。すなわち、図４（ａ）に示す一方のブラシ押さえ部材６ａの穴部８ａに対して他方のブラシ押さえ部材６ｂの突起部７ａが嵌め合わされ、該ブラシ押さえ部材６ａの他の穴部８ｂに対して他方のブラシ押さえ部材６ｂの他の突起部７ｂが嵌め合わされる。同様にして、他方のブラシ押さえ部材６ｂの穴部８ａに対して一方のブラシ押さえ部材６ａの突起部７ａが嵌め合わされ、該ブラシ押さえ部材６ｂの他の穴部８ｂに対して一方のブラシ押さえ部材６ａの他の突起部７ｂが嵌め合わされる。そして、前述のように、前記突起部７ａ，７ｂと穴部８ａ，８ｂとが嵌め殺し状に結合されて保持部２が構成されるようになっている。
【００２６】
図６は、以上のように形成されたブラシ部１と、保持部２とを組み合わせてワックスはく離ブラシを構成した状態を示す図であり、（ａ）は正面図、（ｂ）は（ａ）のＣ−Ｃ線断面図、（ｃ）は（ａ）の左側面図である。ここで、前記ブラシ部１と保持部２とを組み合わせるには、まず、図２（ｃ）に示すブラシ部１の両側面に、図３〜図５に示すように形成された一対のブラシ押さえ部材６ａ，６ｂを対向させて配置する。次に、図６（ｂ）に示すように、複数の毛材３の芯線４に交差させて折り返した根本部分Ｒを挟み付ける帯状金具５に、各ブラシ押さえ部材６ａ，６ｂの内側面に形成された掛止段部１１が掛止するように位置決めして、前述のように一方のブラシ押さえ部材６ａの穴部８ａ，８ｂに対して他方のブラシ押さえ部材６ｂの突起部７ａ，７ｂを嵌め合わせ、他方のブラシ押さえ部材６ｂの穴部８ａ，８ｂに対して一方のブラシ押さえ部材６ａの突起部７ａ，７ｂを嵌め合わせて、前記毛材３の根本部分Ｒ及び該根本部分Ｒから毛先側に予め定められた部位まで寄った所定領域Ｅをその両側面から挟み込んで、一対のブラシ押さえ部材６ａ，６ｂを結合させて保持部２とする。これにより、前記ブラシ部１の根本部分Ｒ及び前記所定領域Ｅを保持部２で保持してワックスはく離ブラシが構成される。
【００２７】
この場合、図３（ａ）及び図４（ｂ）に示すように、各ブラシ押さえ部材６ａ，６ｂの両端部には抱え込み端板１２が内向きに張り出しているので、前記のようにブラシ部１の横幅Ｗ方向にて該ブラシ部１の根本部分Ｒ及び前記所定領域Ｅを保持部２で保持した状態では、前記抱え込み端板１２でブラシ部１の帯状金具５及び複数の毛材３の両端部を抱え込んで保持することができる。この結果、ブラシ部１の根本部分Ｒ及び所定領域Ｅを保持部２で確実に保持して、ワックス等をはく離する際に操作者が把持する操作部材とすることができる。
【００２８】
なお、以上の説明では、図１に示す他方のブラシ押さえ部材６ｂも、図３〜図５に示す一方のブラシ押さえ部材６ａと全く同じ形状に形成されており、図１に示すように、ブラシ部１を間に挟んで各ブラシ押さえ部材６ａ，６ｂを対向させると、左右が反転した形状で一対のブラシ押さえ部材６ａ，６ｂが対向する状態となるように形成されているとしたが、本発明はこれに限られず、一対のブラシ押さえ部材６ａ，６ｂは必ずしも同一の形状に形成されていなくてもよい。すなわち、一対のブラシ押さえ部材６ａ，６ｂの対向面に形成された突起部７ａ，７ｂと穴部８ａ，８ｂとが嵌め合わされて各ブラシ押さえ部材６ａ，６ｂが結合される状態に形成されていればよい。例えば、一方のブラシ押さえ部材６ａは、図４（ａ）において、中心線を境にしてその中心線に近い両側部位に２個の突起部７ａ，７ｂを設け、その中心線から離れた両側端部に２個の穴部８ａ，８ｂを設けて成り、他方のブラシ押さえ部材６ｂは、同じく図４（ａ）において、中心線を境にしてその中心線に近い両側部位に２個の穴部８ａ，８ｂを設け、その中心線から離れた両側端部に２個の突起部７ａ，７ｂを設けて成るように形成してもよい。
【００２９】
また、図３〜図６の説明では、前記保持部２は対向する一対のブラシ押さえ部材６ａ，６ｂを結合させるものとしたが、本発明はこれに限られず、一対のブラシ押さえ部材６ａ，６ｂを結合させた状態の一体物に予め形成して、前記ブラシ部１の横幅Ｗ方向にて、前記毛材３の根本部分Ｒ及び該根本部分Ｒから毛先側に予め定められた部位まで寄った所定領域Ｅをその両側面から挟み込んで該ブラシ部１の根本部分Ｒ及び前記所定領域Ｅを保持するようにしてもよい。例えば、図１に示す一対のブラシ押さえ部材６ａ，６ｂの上辺部を蝶番のように結合して一体の成形物とし、これを図２に示すブラシ部１の根本部分Ｒ及び所定領域Ｅをその両側面から挟み込むようにして被せ、前記一対のブラシ押さえ部材６ａ，６ｂの下部を閉じるようにして前記ブラシ部１の根本部分Ｒ及び前記所定領域Ｅを保持部２で保持するようにしてもよい。
【００３０】
図７は、以上のように構成されたワックスはく離ブラシの使用状態について示す説明図である。操作者は、図１及び図６に示すように構成されたワックスはく離ブラシの保持部２を手で把持して、床面１４近くに身を低くしてブラシ部１の毛材３をワックスが塗布された化学系床材等の床面１４に押し当てる。このとき、保持部２は、図６に示すように、一対のブラシ押さえ部材６ａ，６ｂでブラシ部１の毛材３の根本部分Ｒ及び所定領域Ｅをその両側面から挟み込んでいるので、操作者が保持部２を手で把持した状態でブラシ部１を確実に保持して毛材３を床面１４に強く押し当てることができる。そして、この状態で、図７（ａ）において、前記ブラシ部１を紙面に略直角に交差する方向に前後に移動させて擦ることで、前記床面１４に堆積した古いワックス等の汚れのはく離・洗浄をすることができる。この場合、特に床面でフロアーポリッシャが届きにくい部分（コーナーや隅部等）に堆積している古いワックス等の汚れをはく離・洗浄することができる。また、毛材３は、予め定められた硬度を有する酸化アルミ又はシリコンカーバイトで形成された研磨砥粒を含有しており、チャンネル方式で植毛されているので、複数の毛材３を密集した腰の強いブラシ毛となり、古いワックス等を効率よくはく離することができる。
【００３１】
図７（ｂ）は、前記ワックスはく離ブラシの他の使用状態を示す（ａ）の左側面図である。この使用状態では、床面１４に対してブラシ部１の毛材３の傾斜角αが鋭角になるように傾けてブラシ部１の毛材３を床面１４に押し当て、保持部２を手で把持して傾斜角αで傾けた側から矢印Ｆのように押す力を加えて、毛材３が床面１４上を矢印Ｇ方向に前進するように操作する。すなわち、ブラシ部１の毛材３を傾斜角αで傾けて床面１４に押し当て、矢印Ｆのように押す力を加えて矢印Ｇ方向に前進させながら擦り、床面１４に堆積した古いワックス等の汚れを複数の毛材３で削り取るように操作するものである。この場合、複数の毛材３を密集した腰の強いブラシ毛で古いワックス等を効率よくはく離することができる。
【００３２】
なお、図示は省略したが、図６（ａ）に示す保持部２のブラシ押さえ部材６ａ，６ｂの外側面に形成された溝１３を利用し、操作用のクリップ部材の爪を掛止して前記保持部２にクリップ部材を装着し、このクリップ部材の上部に形成された筒状の取付部に棒状の柄を差し込んで取り付け、その柄を手で把持して立ち姿で前記ワックスはく離ブラシを使用するようにしてもよい。
【００３３】
図８は、ブラシ部１の他の実施形態を示す正面図である。この実施形態によるブラシ部１は、その毛材３の長さを、該ブラシ部１の横幅Ｗ方向にて一端側に比して他端側が順次短くなるように斜めに切断したものである。したがって、図８において、ブラシ部１の左端側の毛材３の長さは長く、右端側の毛材３の長さは短くされ、その中間は左端側から右端側に行くに従って順次短くなるように形成されている。
【００３４】
図９は、図８に示すように形成されたブラシ部１に、図３〜図５に示すように形成された一対のブラシ押さえ部材６ａ，６ｂを結合させた保持部２を組み合わせて、他の実施形態によるワックスはく離ブラシを構成した状態を示す図である。この実施形態によるワックスはく離ブラシは、ワックスのはく離対象部位のコーナーや隅部に堆積している古いワックス等を効率よくはく離しようとするものである。
【００３５】
図１０は、図９に示す他の実施形態によるワックスはく離ブラシの使用状態を示す説明図である。この使用状態は、特に床面１４のコーナーや隅部の立ち上がり壁面１５に近い部位についてはく離作業をする場合を示している。この場合、前述の図７（ａ）に示す実施形態によるワックスはく離ブラシでは、ブラシ部１の毛材３の長さは、該ブラシ部１の横幅Ｗ方向にて一端側から他端側まで一定となるように平行状態に切断されているので、床面１４のコーナーや隅部、或いは階段のステップ部分等に堆積している古いワックス等の汚れのはく離作業時に、保持部２の一方の端部が床面１４のコーナーや隅部の立ち上がり壁面１５、或いは階段ステップの立ち上がり面（１５）に突き当たってしまうことがある。このことから、前記ブラシ部１の立ち上がり壁面１５側の端部の毛材３の先端が、前記立ち上がり壁面１５直下の床面１４のコーナーや隅部、或いは階段ステップの立ち上がり面（１５）直下の床面１４に堆積しているワックス等に届かない場合がある。
【００３６】
そこで、操作者は、図１０において、図９に示すように構成されたワックスはく離ブラシの保持部２を手で把持して、ブラシ部１をワックスが塗布された床面１４に斜め状態に傾斜させて押し当てる。このようにすると、図１０に示すように、ワックスはく離ブラシの上部が立ち上がり壁面１５から離れる側に傾いて、保持部２の左端部が床面１４のコーナーや隅部の立ち上がり面（１５）、或いは階段ステップの立ち上がり面（１５）から離れると共に、ブラシ部１の立ち上がり壁面１５側の端部の毛材３の先端が、床面１４のコーナーや隅部、或いは階段ステップの立ち上がり部に堆積しているワックス等に届くようになる。したがって、ワックスのはく離対象部位のコーナーや隅部に堆積している古いワックス等を効率よくはく離できるようになる。
【符号の説明】
【００３７】
１…ブラシ部
２…保持部
３…毛材
４…芯線
５…帯状金具
６ａ，６ｂ…ブラシ押さえ部材
７ａ，７ｂ…突起部
８ａ，８ｂ…穴部
９…くびれ部
１０…細径部
１１…掛止段部
１２…抱え込み端板
１３…溝
【図１】
0005646933.tif 000002
【図２】
0005646933.tif 000003
【図３】
0005646933.tif 000004
【図４】
0005646933.tif 000005
【図５】
0005646933.tif 000006
【図６】
0005646933.tif 000007
【図７】
0005646933.tif 000008
【図８】
0005646933.tif 000009
【図９】
0005646933.tif 000010
【図１０】
0005646933.tif 000011